【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】
一対の基板と、当該一対の基板間に狭持される液晶とを有する液晶表示素子を有する液晶表示装置であって、
前記一対の基板の一方の基板上には、複数のゲート信号線と該複数のゲート信号線に交差するように配置された複数のドレイン信号線が配置されて表示領域を形成しており、
前記一方の基板の一辺側には、テープ上に搭載され、前記複数のドレイン信号線に電気的に接続されているドレインドライバが複数個配置されており、
前記一方の基板の別の一辺側には、テープ上に搭載され、前記複数のゲート信号線に電気的に接続されたゲートドライバが複数個配置されており、
前記一方の基板上には、前記ドレインドライバが搭載されたテープから前記ゲートドライバが搭載されたテープに接続された複数の信号配線が配置されており、
前記複数の信号配線の中の少なくとも一組の隣接する信号配線の配線間隔が、前記複数の信号配線の中の他の隣接する信号配線の配線間隔に比べて異なることを特徴とする液晶表示装置。
【請求項２】
前記複数の信号配線の少なくとも一本は、前記一対の基板の何れか一方の基板に配置されたコモン電極に印加する電圧を供給する信号配線であり、
前記コモン電極に印加する電圧を供給する信号配線は、前記表示領域側に最も近い位置に配置されていることを特徴とする請求項１に記載の液晶表示装置。
【請求項３】
一対の基板と、当該一対の基板間に狭持される液晶とを有する液晶表示素子を有する液晶表示装置であって、
前記一方の基板の一辺側には、テープ上に搭載されたドレインドライバが複数個配置されており、
前記一方の基板の別の一辺側には、テープ上に搭載されたゲートドライバが複数個配置されており、
前記一方の基板上には、前記ドレインドライバが搭載されたテープから前記ゲートドライバが搭載されたテープに接続された複数の信号配線が配置されており、
前記複数の信号配線が略平行に走行している箇所において、該複数の信号線に垂直な方向における前記複数の信号配線の中の少なくとも一組の隣接する信号配線の配線間隔は、前記複数の信号配線の中の他の隣接する信号配線の配線間隔に比べて異なることを特徴とする液晶表示装置。
【請求項４】
前記複数の信号配線の少なくとも一本は、前記一対の基板の何れか一方の基板に配置されたコモン電極に印加する電圧を供給する信号配線であり、
前記コモン電極に印加する電圧を供給する信号配線は、前記複数の信号配線の中で前記一方の基板の最も内側に配置されていることを特徴とする請求項３に記載の液晶表示装置。
【請求項５】
前記複数の信号配線は、前記一対の基板の何れか一方の基板に配置されたコモン電極に印加する電圧を供給する信号配線と、
前記ドレイン信号線と前記ゲート信号線の交点に対応して配置されている薄膜トランジスタを制御する電圧を供給する信号配線と、
前記ゲートドライバの電源電圧を供給する信号配線と、
接地電圧を供給する信号配線とを有することを特徴とする請求項１ないし請求項４のいずれか１項に記載の液晶表示装置。
【請求項６】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記薄膜トランジスタをオンする電圧を供給する信号配線と、前記ゲートドライバの電源電圧を供給する信号とは隣接されており、
前記ゲートドライバの電源電圧を供給する信号配線と、前記接地電圧を供給する信号配線とは隣接されており、
前記薄膜トランジスタをオンする電圧を供給する信号配線と前記ゲートドライバの電源電圧を供給する信号配線の配線間隔が、前記ゲートドライバの電源電圧を供給する信号配線と前記接地電圧を供給する信号配線の配線間隔よりも広いことを特徴とする請求項５に記載の液晶表示装置。
【請求項７】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記薄膜トランジスタをオンする電圧を供給する信号配線と、前記ゲートドライバの電源電圧を供給する信号とは隣接されており、
前記接地電圧を供給する信号配線と前記薄膜トランジスタをオフする電圧を供給する信号配線とは隣接されており、
前記薄膜トランジスタをオンする電圧を供給する信号配線と前記ゲートドライバの電源電圧を供給する信号配線の配線間隔が、前記接地電圧を供給する信号配線と前記薄膜トランジスタをオフする電圧を供給する信号配線の配線間隔よりも広いことを特徴とする請求項５に記載の液晶表示装置。
【請求項８】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記薄膜トランジスタをオンする電圧を供給する信号配線と、前記ゲートドライバの電源電圧を供給する信号とは隣接されており、
前記コモン電極に印加する電圧を供給する信号配線と、前記薄膜トランジスタをオフする電圧を供給する信号配線とは隣接されており、
前記薄膜トランジスタをオンする電圧を供給する信号配線と前記ゲートドライバの電源電圧を供給する信号配線の配線間隔が、前記コモン電極に印加する電圧を供給する信号配線と、前記薄膜トランジスタをオフする電圧を供給する信号配線の配線間隔よりも広いことを特徴とする請求項５に記載の液晶表示装置。
【請求項９】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記コモン電極に印加する電圧を供給する信号配線と、前記薄膜トランジスタをオフする電圧を供給する信号配線とは隣接されており、
前記ゲートドライバの電源電圧を供給する信号配線と、前記設置電圧を供給する信号配線とは隣接されており、
前記コモン電極に印加する電圧を供給する信号配線と、前記薄膜トランジスタをオフする電圧を供給する信号配線の配線間隔が、前記ゲートドライバの電源電圧を供給する信号配線と前記接地電圧を供給する信号配線の配線間隔よりも広いことを特徴とする請求項５に記載の液晶表示装置。
【請求項１０】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記コモン電極に印加する電圧を供給する信号配線と、前記薄膜トランジスタをオフする電圧を供給する信号配線とは隣接されており、
前記薄膜トランジスタをオフする電圧を供給する信号配線と、前記接地電圧を供給する信号配線とは隣接されており、
前記コモン電極に印加する電圧を供給する信号配線と、前記薄膜トランジスタをオフする電圧を供給する信号配線の配線間隔が、前記薄膜トランジスタをオフする電圧を供給する信号配線と前記接地電圧を供給する信号配線の配線間隔よりも広いことを特徴とする請求項５に記載の液晶表示装置。
【請求項１１】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記コモン電極に印加する電圧を供給する信号配線と、前記薄膜トランジスタをオフする電圧を供給する信号配線とは隣接されており、
前記接地電圧を供給する信号配線と、前記ゲートドライバの電源電圧を供給する信号配線は隣接されており、
前記コモン電極に印加する電圧を供給する信号配線と、前記薄膜トランジスタをオフする電圧を供給する信号配線の配線間隔が、前記接地電圧を供給する信号配線と前記ゲートドライバの電源電圧を供給する信号配線の配線間隔よりも広いことを特徴とする請求項５に記載の液晶表示装置。
【請求項１２】
前記薄膜トランジスタを制御する電圧を供給する信号配線は、前記薄膜トランジスタをオンする電圧を供給する信号配線と、前記薄膜トランジスタをオフする電圧を供給する信号配線とを有しており、
前記接地電圧を供給する信号配線と、前記薄膜トランジスタをオフする電圧を供給する信号配線とは隣接されており、
前記接地電圧を供給する信号配線と、前記ゲートドライバの電源電圧を供給する信号配線は隣接されており、
前記接地電圧を供給する信号配線と前記薄膜トランジスタをオフする電圧を供給する信号配線の配線間隔が、前記接地電圧を供給する信号配線と、前記ゲートドライバの電源電圧を供給する信号配線の配線間隔よりも広いことを特徴とする請求項５記載の液晶表示装置。
【請求項１３】
前記複数の信号配線のうちの少なくとも一本は、ダミー配線であることを特徴とする請求項１ないし請求項１２のいずれか１項に記載の液晶表示装置。
【請求項１４】
前記複数の信号配線は、アルミニウム、クロム、若しくはモリブデンの少なくとも１つを有して構成されていることを特徴とする請求項１から請求項１３のいずれか１項に記載の液晶表示装置。
【請求項１５】
前記一対の基板は、ガラス基板であることを特徴とする請求項１ないし請求項１４のいずれか１項に記載の液晶表示装置。
【請求項１６】
前記複数の信号配線の少なくとも一部は、互いに隣接する信号配線との間の電位差が大きい程、互いに隣接する信号配線との間の配線間隔が広くされていることを特徴とする請求項１ないし請求項５のいずれか１項に記載の液晶表示装置。
【請求項１７】
前記複数の信号配線の中の残りの信号配線は、信号配線上の電圧値が最も高い信号配線が、前記コモン電極に印加する電圧を供給する信号配線から最も遠い位置に配置されるとともに、信号配線上の電圧値が最も高い信号配線を基準に、前記複数の信号配線上の電圧から決定される互いに隣接する信号配線との間の電位差が最も小さくなるように配置されることを特徴とする請求項１ないし請求項５のいずれか１項に記載の液晶表示装置。
【請求項１８】
前記複数の信号配線は、時間の経過とともに電圧レベルが変化するパルス状電圧の信号を供給する信号配線を含み、
前記パルス状電圧の信号を供給する信号配線上の電圧は、前記パルス状電圧の時間平均の電圧値で規定することを特徴とする請求項１ないし請求項５のいずれか１項に記載の液晶表示装置。